(57)【要約】【課題】包装箱への収容作業性を向上でき、商品の破損（破裂）を確実に防止する。【解決手段】底壁（フラップ１３，１５）の外周縁から側壁１１Ａ〜１１Ｄを立設し、その内部に仕切部材２０を収容させた包装箱１０において、仕切部材２０は、四角筒状をなし、その所定位置に、周方向に延びる連続部２６と、連続部２６の両端から周方向に延びる切断部２７と、連続部２６を除く位置に設けた接続部２８とを備えた屈曲用罫線２５を備え、接続部２８を破断して連続部２６を軸として屈曲させることにより、連続した２以上の仕切体２１を並設可能としたもので、２以上の仕切部材２０を、各仕切体２１が側壁１１Ａ〜１１Ｄ内を格子状に区画するように収容させる。【選択図】図１
2005200085.tif 000002
【特許請求の範囲】
【請求項１】
筒状をなし、その所定位置に、周方向に延びる連続部と、該連続部の両端から周方向に延びる切断部と、前記連続部を除く位置に設けた接続部とを備えた屈曲用罫線を設け、
前記接続部を破断して前記連続部を軸として屈曲させることにより、連続した２以上の仕切体を並設可能としたことを特徴とする仕切部材。
【請求項２】
矩形状をなす底壁の外周縁から側壁を立設し、その内部に仕切部材を収容させた包装箱において、
前記仕切部材は、四角筒状をなし、その所定位置に、周方向に延びる連続部と、該連続部の両端から周方向に延びる切断部と、前記連続部を除く位置に設けた接続部とを備えた屈曲用罫線を備え、前記接続部を破断して前記連続部を軸として屈曲させることにより、連続した２以上の仕切体を並設可能としたもので、
２以上の前記仕切部材を、各仕切体が前記側壁内を格子状に区画するように収容させたことを特徴とする包装箱。
【発明の詳細な説明】
【技術分野】
【０００１】
本発明は、例えば流動食などの輸液を収容したパウチなどの袋体を収容する包装箱の仕切部材に関するものである。
【背景技術】
【０００２】
輸液を収容した袋体は、機器に接続するためのコネクタを備えた樹脂製のもので、上下に二つ折りした状態で外袋内に収容されている。
【０００３】
この種の袋体を包装するための包装箱に関連する先行技術文献情報としては次のものがある。
【０００４】
【特許文献１】特開２００１−３４１７３０号公報
【０００５】
この特許文献１には、それぞれ異なる仕切構造を具備させた３種の包装箱が開示されている。その１つの仕切構造は、断面矩形状をなす筒体からなる複数の仕切部材を設け、各仕切部材を包装箱の長手方向に沿って並設するように収容させることにより、包装箱内を長手方向に仕切るように構成している。他の１つの仕切構造は、包装箱の長手方向に延びる中央仕切板と、包装箱の長手方向に沿って所定間隔をもって配置する複数の横仕切板とからなり、各横仕切板を中央仕切板に噛み合わせて一体化する仕切部材を設け、包装箱内を格子状に仕切るように構成している。更に他の１つの仕切構造は、一対の側壁部と、これら側壁部間に所定間隔をもって並設した仕切板とからなる仕切部材を設け、包装箱内を長手方向に仕切るように構成している。
【発明の開示】
【発明が解決しようとする課題】
【０００６】
しかしながら、特許文献１に記載の仕切部材は、いずれも部品点数が多いため、包装箱への収容作業が非常に面倒であるという問題がある。また、前記袋体は、包装箱に収容した状態での落下による破裂を確実に防止する必要があるが、前記各仕切部材を用いた包装箱は、その課題を十分に解決しているとは言えない。
【０００７】
そこで、本発明では、包装箱への収容作業性を向上できる仕切部材を提供することを第１の課題とし、商品の破損（破裂）を確実に防止できる前記仕切部材を用いた包装箱を提供することを第２の課題とするものである。
【課題を解決するための手段】
【０００８】
前記課題を解決するため、本発明の仕切部材は、筒状をなし、その所定位置に、周方向に延びる連続部と、該連続部の両端から周方向に延びる切断部と、前記連続部を除く位置に設けた接続部とを備えた屈曲用罫線を設け、前記接続部を破断して前記連続部を軸として屈曲させることにより、連続した２以上の仕切体を並設可能とした構成としている。
【０００９】
また、本発明では、前記仕切部材を用いた包装箱は、矩形状をなす底壁の外周縁から側壁を立設し、その内部に仕切部材を収容させた包装箱において、前記仕切部材は、四角筒状をなし、その所定位置に、周方向に延びる連続部と、該連続部の両端から周方向に延びる切断部と、前記連続部を除く位置に設けた接続部とを備えた屈曲用罫線を備え、前記接続部を破断して前記連続部を軸として屈曲させることにより、連続した２以上の仕切体を並設可能としたもので、２以上の前記仕切部材を、各仕切体が前記側壁内を格子状に区画するように収容させた構成としている。
【発明の効果】
【００１０】
本発明の仕切部材では、筒状とした１個の仕切部材を２以上の収容空間を形成する仕切体とし、各仕切体に対して個別に袋体などの商品を区画して収容できるため、部品点数の削減を図ることができる。そのため、仕切部材を包装箱に収容する作業性を向上できるとともに、仕切部材に係るコストダウンを図ることができる。
【００１１】
また、この仕切部材を用いた包装箱は、各仕切体が格子状をなすように２以上の仕切部材を収容させている。そのため、全ての仕切壁は二重構造をなすため、その剛性を高めることができる。そのうえ、この包装箱が落下しても、全ての袋体が上下方向に積み重なった状態にはならないため、最下部に位置する袋体に上側の全ての袋体の荷重が加わることはなく、破裂の問題が生じることを最大限に抑制することができる。
【発明を実施するための最良の形態】
【００１２】
以下、本発明の実施の形態を図面に従って説明する。
【００１３】
図１から図５は、本発明の実施形態に係る仕切部材２０および該仕切部材２０を用いた包装箱１０を示す。この包装箱１０は、２個の仕切部材２０を収容させることにより内部を２行２列に区画し、その区画した各空間に輸液を収容した袋体を個別に収容させるものである。
【００１４】
具体的には、前記包装箱１０は段ボール紙製で、４つの側壁１１Ａ，１１Ｂ，１１Ｃ，１１Ｄを備え、一端の側壁１１Ａには他端の側壁１１Ｄと貼着するための糊代部１２が連設されている。また、対向する短尺な側壁１１Ｂ，１１Ｄには、その下端に底壁を構成する下側内フラップ１３が連設されるとともに、上端に天壁を構成する上側内フラップ１４が連設されている。さらに、他の対向する長尺な側壁１１Ａ，１１Ｃには、その下端に底壁を構成する下側外フラップ１５が連設されるとともに、上端に天壁を構成する上側外フラップ１６が連設されている。そして、この包装箱１０を組み立てることにより、下側のフラップ１３，１５からなる底壁の外周縁から四方を囲繞するように側壁１１Ａ〜１１Ｄが立設される。
【００１５】
前記仕切部材２０は四角筒状をなし、その中央を屈曲させることにより連続した２個の仕切体２１を並設可能としたもので、段ボール紙を周知の紙器打抜装置によって、図５（Ａ）に示すように、一枚のブランクとして打ち抜いて形成される。ここで、段ボール紙は、図５（Ｂ）に示すように、一対の表紙１および裏紙２の間に、波状に連続する中しん３を配設した周知のものである。
【００１６】
前記仕切部材２０のブランクは、図５（Ａ）に示すように、４面の壁部２２Ａ，２２Ｂ，２２Ｃ，２２Ｄを連設し、その一端の壁部２２Ａには他端の壁部２２Ｄに貼着するための糊代部２３を更に連設したものである。これら壁部２２Ａ〜２２Ｄおよび糊代部２３の境界部分には、図中破線で示すように、肉厚を圧縮するように罫を入れて形成した折曲線２４が設けられている。
【００１７】
前記壁部２２Ａ〜２２Ｄの全高である縦方向の寸法は、前記包装箱１０の側壁１１Ａ〜１１Ｄの全高より若干小さく設定されている。また、対向する長尺な壁部２２Ａ，２２Ｃの横方向の寸法は、前記包装箱１０の長尺な側壁１１Ａ，１１Ｃの略半分に設定され、他の対向する短尺な壁部２２Ｂ，２２Ｄの横方向の寸法は、前記包装箱１０の短尺な側壁１１Ｂ，１１Ｄの略半分に設定されている。
【００１８】
また、前記壁部２２Ａ〜２２Ｄには、縦方向の中央に２つに屈曲させるための屈曲用罫線２５が設けられている。この屈曲用罫線２５は、横方向に直線的に延びる連続部２６と、該連続部２６の両端から同一線上に位置するように設けた切断部２７と、前記連続部２６を除く位置に設けた接続部２８とからなる。また、糊代部２３には、前記屈曲用罫線２５と縦方向に対応する位置に切欠部２９が設けられている。
【００１９】
前記連続部２６は、ブランクの中間に位置する長尺な壁部２２Ｃの横方向全面にかけて設けられている。本実施形態の連続部２６は、図５（Ｃ）に一点鎖線で示すように、後述する組立状態で内面側に位置する裏紙２と中しん３とを切断し、表紙１のみを切断せずに連続させた所謂半切りスリーブにより構成している。前記切断部２７は、段ボール紙の表紙１、中しん３および裏紙２の全てを切断したもので、前記連続部２６の両端から壁部２２Ａ，２２Ｄの端縁近傍まで延びるように形成されている。これにより、この切断部２７の端に、言い換えれば、前記連続部２６と対向する位置に、表紙１、中しん３および裏紙２のいずれも切断していない前記接続部２８が形成される。前記切欠部２９は、糊代部２３の端縁から壁部２２Ａの端縁にかけて略Ｖ字形状に切り欠いたものである。
【００２０】
このように構成した仕切部材２０は、図３（Ａ），（Ｂ）に示すように、折曲線２４に沿って壁部２２Ａを壁部２２Ｂに対して折り曲げるとともに、壁部２２Ｄを壁部２２Ｃに対して折り曲げ、周知の接着剤を塗布した糊代部２３を壁部２２Ｄの縁に貼着した状態で納品される。
【００２１】
そして、この仕切部材２０を使用する際には、例えば、図４（Ａ）に示すように、各折曲線２４に沿って各壁部２２Ａ〜２２Ｄを矩形状とする。これにより、ブランクにおいて直線的に設けた連続部２６、切断部２７および接続部２８が周方向に延びた状態をなす。
【００２２】
その後、図４（Ｂ）に示すように、接続部２８を破断して連続部２６を軸として壁部２２Ｃを屈曲させることにより、図１に示すように、連続した２個の仕切体２１を並設させる。なお、この仕切部材２０は、図３（Ａ），（Ｂ）に示す平坦な状態で連続部２６を軸として屈曲させてもよい。
【００２３】
ついで、図２に示すように、このように一対の仕切体２１を一体化した仕切部材２０を２個用意し、これらを包装箱１０に収容させた後、袋体などの商品５を４つに区画された各空間に収容させる。
【００２４】
このように、本実施形態の仕切部材２０では、筒状とした１個の仕切部材２０を２個の仕切体２１とし、各仕切体２１に対して個別に袋体などの商品５を区画して収容できるため、部品点数の削減を図ることができる。そのため、仕切部材２０を包装箱１０に収容する作業性を向上できるとともに、仕切部材２０に係るコストダウンを図ることができる。
【００２５】
また、この仕切部材２０を用いた包装箱１０は、各仕切体２１が格子状をなすように２個の仕切部材２０を収容させている。そのため、全ての仕切壁は二重構造をなすため、その剛性を高めることができる。しかも、本実施形態では、図１に示すように、包装箱１０のブランクは、その段ボール紙の中しん３が垂直方向に延びるように打ち抜き、仕切部材２０のブランクは、その段ボール紙の中しん３が水平方向に延びるように打ち抜いている。そのため、この仕切部材２０を用いた包装箱１０は、垂直（縦）方向の剛性のみならず、水平（横）方向の剛性をも高めることができる。
【００２６】
その結果、この包装箱１０が落下することに抗する耐力を高め、収容した商品５を確実に保護できる。しかも、本実施形態では、前記仕切部材２０によって包装箱１０の内部を格子状に区画する構成としているため、いずれの側壁１１Ａ〜１１Ｄが下側に位置しても、全ての商品５が上下方向に積み重なった状態にはならない。そのため、収容する商品５が輸液を収容した袋体であっても、最下部に位置する袋体に上側の全ての袋体の荷重が加わることはない。これにより、袋体に大きな荷重が加わることによる破裂の問題を最大限に抑制することができる。
【００２７】
なお、本発明の仕切部材２０は、前記実施形態の構成に限定されるものではなく、種々の変更が可能である。
【００２８】
例えば、前記実施形態では、仕切部材２０を２つに屈曲して２個の仕切体２１を並設可能に構成したが、図６に示すように、所定間隔をもって屈曲用罫線２５を一対に設け、３つに屈曲して３個の仕切体２１を並設可能としてもよい。この場合、図示のように、隣接する一方の屈曲用罫線２５の連続部２６と、他方の屈曲用罫線２５の連続部２６とは、それぞれ対向する壁部２２Ａ，２２Ｃに設ける必要があるが、前記実施形態と同様の作用および効果を得ることができる。即ち、仕切部材２０は、希望に応じて２以上の仕切体２１を形成し、それぞれを並設することが可能なものである。
【００２９】
また、前記実施形態では、前記連続部２６は、半切りスリーブにより構成したが、所定間隔をもってミシン目状に設けた切断ラインと隣接する切断ライン間に設けた折曲線とからなるリード罫により構成してもよいうえ、折曲線のみにより構成してもよい。
【００３０】
さらに、連続部２６は、長尺な壁部２２Ａ，２２Ｃの全体にかけて設けたが、一部のみに設けてもよいうえ、短尺な壁部２２Ｂ，２２Ｃに設けてもよい。即ち、この連続部２６は勿論、切断部２７および接続部２８の形成位置は、希望に応じて変更が可能である。
【００３１】
さらにまた、前記実施形態では、仕切部材２０を四角筒状に形成したが、円筒状や三角筒状としてもよく、その断面形状は希望に応じて変更が可能である。
【００３２】
また、前記実施形態のように、矩形状をなす包装箱１０に四角筒状をなす仕切部材２０を配設して内部を格子状に区画する場合には、その区画する行列の数は２行２列に限定されず、希望に応じて変更が可能である。
【図面の簡単な説明】
【００３３】
【図１】本発明の仕切部材を用いた包装箱の分解斜視図である。
【図２】仕切部材を用いた包装箱に商品を収容させた状態を示す斜視図である。
【図３】組み立てた仕切部材を示し、（Ａ）は前方斜視図、（Ｂ）は後方斜視図である。
【図４】（Ａ），（Ｂ）は仕切部材の使用方法の一例を示す斜視図である。
【図５】（Ａ）は仕切部材のブランクを示す平面図、（Ｂ），（Ｃ）は（Ａ）の要部断面図である。
【図６】仕切部材の変形例のブランクを示す平面図である。
【符号の説明】
【００３４】
５…商品、１０…包装箱、１１Ａ〜１１Ｄ…側壁、１３…底壁を構成する下側内フラップ、１５…底壁を構成する下側外フラップ、２０…仕切部材、２１…仕切体、２５…屈曲用罫線、２６…連続部、２７…切断部、２８…接続部。
【図１】
2005200085.tif 000003
【図２】
2005200085.tif 000004
【図３】
2005200085.tif 000005
【図４】
2005200085.tif 000006
【図５】
2005200085.tif 000007
【図６】
2005200085.tif 000008